(57)【要約】  本発明は、高出力発光ダイオード（ＬＥＤ）照明装置に関し、より詳細には、広い面積を照明できる高出力ＬＥＤ照明装置に関するものである。本発明によると、ケースと、ケースに配置され、複数のＬＥＤチップが搭載される基板と、基板に接続され、板状ボディーから突出された複数の光反射半球を含む反射モジュールとを有する高出力ＬＥＤ照明装置が提供される。この装置は、他の何よりも、改善した放熱特性を提供する。
2015534241.tif 000002
【特許請求の範囲】
【請求項１】
高出力発光ダイオード（ＬＥＤ）照明装置であって、
ケースと、
前記ケースの内部表面上に配置され、基板上の行方向、列方向、又は２方向のすべてに相互に所定の距離だけ離隔して搭載される複数のＬＥＤチップを含む基板と、
前記基板に接続され、所定の配光を得るためにＬＥＤチップから発散した光を反射する複数の光反射半球を含む反射モジュールと
を有することを特徴とする高出力ＬＥＤ照明装置。
【請求項２】
前記複数の光反射半球は、板状ボディーから突出されることを特徴とする請求項１に記載の高出力ＬＥＤ照明装置。
【請求項３】
少なくとも１つの結合開口が前記板状ボディー及び前記ケース上に形成された少なくとも１つの結合突出部に形成されることにより、前記結合突出部又は複数の突出部が前記結合開口又は複数の開口に挿入されることを特徴とする請求項２に記載の高出力ＬＥＤ照明装置。
【請求項４】
前記ケースは、その一面に複数の放熱フィンを含むことを特徴とする請求項１に記載の高出力ＬＥＤ照明装置。
【請求項５】
照明部を支持するように構成される支持フレームと、
前記照明部から離隔するように前記支持フレームにより支持される電力供給部とをさらに有することを特徴とする請求項１に記載の高出力ＬＥＤ照明装置。
【請求項６】
少なくとも１つのヒンジを含む角度調整部をさらに有し、前記角度調整部の一端は、前記照明部に接続され、他端は、前記電力供給部に接続され、前記照明部の角度は、少なくとも１つのヒンジの作用により調整されることを特徴とする請求項５に記載の高出力ＬＥＤ照明装置。
【請求項７】
前記角度調整部は、
第１の端が前記照明部に結合されるスクリューと、
第１の端が前記電力供給部に結合され、第２の端が前記スクリューを収容するように構成される受け部と、
アイドル状態で回転しつつ前記受け部の内外側への前記スクリューの挿入及び引抜きを調整するように前記収容部の第２の端に搭載される回転調整部とを含み、
前記スクリューの前記第１の端が少なくとも１つのヒンジにより前記照明部に結合されるか、前記収容部の前記第１の端が少なくとも１つのヒンジにより前記電力供給部に結合されるか、又は両方ともの状態となることを特徴とする請求項６に記載の高出力ＬＥＤ照明装置。
【請求項８】
前記ＬＥＤチップは、ほぼ等間隔で相互に離隔することを特徴とする請求項１に記載の高出力ＬＥＤ照明装置。
【請求項９】
前記光反射半球は、前記ＬＥＤチップに１対１に対応するように配置されることを特徴とする請求項１に記載の高出力ＬＥＤ照明装置。
【請求項１０】
１つの光反射半球により反射され発散する光速は、約１０１ｍ以上であることを特徴とする請求項９に記載の高出力ＬＥＤ照明装置。
【請求項１１】
高出力ＬＥＤ照明装置であって、
ケースと、
前記ケースに配置され、複数のＬＥＤチップが搭載される基板と、
前記基板に接続され、板状ボディーから突出された複数の光反射半球を含む反射モジュールと
を有することを特徴とする高出力ＬＥＤ照明装置。
【請求項１２】
前記ケースは、その一面に複数の放熱フィンを含むことを特徴とする請求項１１に記載の高出力ＬＥＤ照明装置。
【請求項１３】
接続部により前記ケースに接続される電力供給部をさらに有することにより、前記電力供給部の少なくとも一部が前記ケースの少なくとも一部から離隔することを特徴とする請求項１１に記載の高出力ＬＥＤ照明装置。
【請求項１４】
前記接続部は、前記電力供給部より低い熱伝導率を有する物質でなされることを特徴とする請求項１３に記載の高出力ＬＥＤ照明装置。
【請求項１５】
前記電力供給部は、その一面に複数の放熱フィンを含むことを特徴とする請求項１３に記載の高出力ＬＥＤ照明装置。
【請求項１６】
少なくとも１つのヒンジを含む角度調整部をさらに有し、前記角度調整部の一端は、前記ケースに接続され、他端は、電力供給部に接続され、照明部の角度は、少なくとも１つのヒンジの作用により調整されることを特徴とする請求項１１に記載の高出力ＬＥＤ照明装置。
【請求項１７】
前記光反射半球は、前記ＬＥＤチップに１対１に対応するように配置されることを特徴とする請求項１１に記載の高出力ＬＥＤ照明装置。
【発明の詳細な説明】
【技術分野】
【０００１】
本発明は、高出力発光ダイオード（ＬＥＤ）照明装置に関し、より詳細には、広い面積を照明できる高出力ＬＥＤ照明装置に関するものである。
【背景技術】
【０００２】
一般的に、野球場、フットボール競技場、総合スポーツセンターなどのような屋外競技場には、照明タワーがある。照明タワーは、競技中に運動場を照明するために相対的に高い出力を生成し、相当量の電力を消費しなければならない。最近では、競技場又は類似した面積の照明のための電力消費を低減させるためには、ＬＥＤ照明を用いる技術が開発されている。
【０００３】
最近開発された関連技術の装置には、ＬＥＤランプを用いる競技場の投光などが含まれる。ＬＥＤ投光は、ＬＥＤの各々にレンズを結合した構造を有する。しかしながら、約１ワット（ｗａｔｔ）のＬＥＤチップが約８００ワット以上を出力しなければならない高出力ＬＥＤ照明装置に使用されるとしても、光の損失を考慮して最小８４０個のＬＥＤチップがＬＥＤ照明装置に使用されなければならない。したがって、それぞれのＬＥＤにレンズを結合するために必要とされる時間が実質的に増加し、それは、生産性の低下につながる。
【０００４】
また、投光の角度を調節する構造が開発され、ここで、投光の角度は、上方及び下方に調節され、その後に、ヒンジは、ボルトで締められて固定されるようにする。しかしながら、ボルトが締められるとき、締結力が投光に作用することにより投光の調節された角度を変更させ、その結果、所望する角度変更から変位が生じる。
【０００５】
さらに、高出力ＬＥＤ照明装置は、ＬＥＤ照明装置の重量及び体積を考慮して設計されるが、通常、高出力ＬＥＤ照明装置は、任意のＬＥＤ照明装置に対して特別に構築されず従来の照明装置に取って代わるので、予め定められた面積を有する。上述したように、約８００ワットの容量を有する高出力ＬＥＤ照明装置を実現するために、少なくとも８４０個のＬＥＤチップが使用されなければならず、すべてのＬＥＤチップから発散した光を反射することにより所望する配光を形成するためには、リフレクターがＬＥＤチップの光放出面から十分な高さで突出されなければならない。これは、高出力ＬＥＤ照明装置の重さ及び体積を増加させる原因となる。
【０００６】
上述した情報は、本発明の理解を助けるために背景情報だけとして提示される。本発明に対する先行技術で適用されることができるのか否かに関してはいかなる決定及びいかなる主張もない。
【発明の概要】
【発明が解決しようとする課題】
【０００７】
本発明の目的は、上述した課題もしくは不都合な点を解決し、少なくとも以下に示す優位性を提供する。すなわち、本発明の目的は、組立時間を短縮して生産性を向上させることができる高出力ＬＥＤ照明装置を提供することにある。
【０００８】
本発明の別の目的は、ＬＥＤ照明装置の寿命を延長させることができるようにＬＥＤ照明装置から他の熱源を分離するとともに熱源及びＬＥＤ照明装置が個別に変更されるようにする高出力ＬＥＤ照明装置を提供することにある。
【０００９】
本発明のまた別の目的は、体積及び重さを減少させる高出力ＬＥＤ照明装置を提供する。
【００１０】
本発明のさらに別の目的は、必要の場合には、光放出角が調整され、角度が調整された後に所望する角度変更から偏差を発生させない高出力ＬＥＤ照明装置を提供することにある。
【課題を解決するための手段】
【００１１】
上記のような目的を達成するために、本発明の一態様によれば、高出力ＬＥＤ照明装置は、ケース、ケースに配置され、複数のＬＥＤチップが搭載される基板、及び基板に接続され、板状ボディーから突出される複数の光反射半球を含む反射モジュールを含む。ケースは、その表面に複数の放熱フィンを含む。高出力ＬＥＤ照明装置は、接続部によりケースに接続される電力供給部をさらに有し、電力供給部の少なくとも一部は、ケースの少なくとも一部と離隔している。接続部は、電力供給部より低い熱伝導率を有する物質でなされる。好ましくは、電力供給部がその表面上に複数の放熱フィンを含む。高出力ＬＥＤ照明装置は、少なくとも１つのヒンジを含む角度調整部をさらに有し、角度調整部の一端は、ケースに接続され、他端は、電力供給部に接続され、ここで、照明部の角度は、少なくとも１つのヒンジの作用によって調整される。一部の実施形態において、光反射半球がＬＥＤチップに１対１に対応するように配置されることを特徴とする。
【００１２】
本発明の別の態様によれば、高出力ＬＥＤ照明装置は、ケース、ケースの内側面に配置される基板、及び基板に接続される反射モジュールを含む。基板は、基板上で行方向又は及び列方向、又は両方向のすべてに相互に所定の距離だけ離隔して搭載される複数のＬＥＤチップを含む。反射モジュールは、所定の配光を得るためにＬＥＤチップから発散した光を反射する複数の光反射半球を含むことを特徴とする。
【００１３】
本発明の実施形態及び他の実施形態による高出力ＬＥＤ照明装置は、非限定的なもので、改善した組立及び／又は保守動作、改善した放熱特性、改善した製造効率性、生産性、及び改善した信頼性及び便宜性を含む様々な長所を有する。
【００１４】
本発明の他の目的、利点、及び顕著な特徴は、添付の図面及び本発明の実施形態からなされた以下の詳細な説明から、この分野の当業者に明確になるはずである。
【発明の効果】
【００１５】
本発明の実施形態によると、高出力ＬＥＤ照明装置は、様々な長所を有する。例えば、従来の高出力ＬＥＤ照明装置と比較する時、他の何よりも、組立動作がより容易であり、体積及び重さがより小さくなり、放熱効率がより高くなり、性能がより安定し、メンテナンスがより容易であり、角度離脱をより容易に防止できる。
【００１６】
本発明の実施形態の上述した及び他の様相、特徴、及び利点は、以下の添付図面が併用された後述の詳細な説明から、より一層明らかになるだろう。
【図面の簡単な説明】
【００１７】
【図１】本発明の一実施形態による高出力ＬＥＤ照明装置の分解状態を示す斜視図である。
【図２】図１の高出力ＬＥＤ照明装置の組立状態を示す断面図である。
【図３】図１の高出力ＬＥＤ照明装置の基板の前面に搭載された反射モジュールを示す図である。
【図４】本発明の一実施形態による高出力ＬＥＤ照明装置に適用されることができる反射モジュールを示す斜視図である。
【図５Ａ】従来の反射板及び本発明の一実施形態による反射モジュールをそれぞれ示す図である。
【図５Ｂ】従来の反射板及び本発明の一実施形態による反射モジュールをそれぞれ示す図である。
【図６】本発明の他の実施形態による高出力ＬＥＤ照明装置の斜視図、後面図、及び前面図である。
【図７】本発明の他の実施形態による高出力ＬＥＤ照明装置の斜視図、後面図、及び前面図である。
【図８】本発明の他の実施形態による高出力ＬＥＤ照明装置の斜視図、後面図、及び前面図である。
【図９】本発明のもう１つの実施形態による高出力ＬＥＤ照明装置の後面図及び斜視図である。
【図１０】本発明のもう１つの実施形態による高出力ＬＥＤ照明装置の後面図及び斜視図である。
【発明を実施するための形態】
【００１８】
ここで使用する用語は、特定の実施形態だけを説明するためのもので、本発明を限定するのではない。ここで使用するように、単数の表現は、文脈上明白に異なることを必要としない限り複数の表現を含む。本明細書で使用されている“具備する”又は“有する”などの用語は、明細書上に記載された特徴、整数、ステップ、動作、構成要素、及び／又はコンポーネント、及び／又はこれらのグループの存在又は追加を排除しない。ここで使用されるように、用語“及び／又は”は、関連して羅列した目録の中の１つ以上のいずれか１つ及びすべての組み合せを含む。
【００１９】
特定して記述するか又は文脈上明白なものでない限り、ここで使用される“約”という用語は、当該技術の正常耐性の範囲内、例えば、平均の２標準偏差内にあるものと理解される。“約”は、言及された値の１０％、９％、８％、７％、６％、５％、４％、３％、２％、１％、０．５％、０．１％、０．０５％、又は０．０１％内にあると理解されることができる。前後関係から明白でない限り、ここで提供されているすべての数値は、“約”という用語によって変形される。
【００２０】
以下では、添付の図面を参照して本発明の実施形態による高出力ＬＥＤ照明装置についてより詳細に説明する。
【００２１】
図１は、本発明の一実施形態による高出力ＬＥＤ照明装置の分解状態を示す斜視図であり、図２は、高出力ＬＥＤ照明装置の組立状態を示す断面図である。図１及び図２を参照すると、本発明の実施形態による高出力ＬＥＤ照明装置は、照明部１００を含む。それは、支持フレーム２００、電力供給部３００、及び角度調整部４００をさらに含む。照明部１００は、所望する出力（例えば、約４００ワット、８００ワット、１２００ワットなど）を出力できる複数のＬＥＤチップを含む。支持フレーム２００は、照明部１００の角度を調整するために照明部１００に接続される。交流を照明部１００に供給される直流に変換する電力供給部３００は、電力供給部３００の少なくとも一部が照明部１００の少なくとも一部から離隔するように支持フレーム２００に接続される。角度調整部４００の一端は、照明部１００にヒンジ又は非ヒンジで接続されることができ、角度調整部４００の他端は、電力供給部３００にヒンジ又は非ヒンジで接続されることにより、地面に対する照明部１００の角度が変更されることができるようにする。
【００２２】
照明部１００は、ケース１１０、基板１２０、及び反射モジュール１３０を含む。ＬＥＤチップが基板１２０上で相互にほぼ同一の間隔で離隔して整列される。ケース１１０は、その内側に基板１２０を収容する。ケース１１０は、その表面に複数の放熱フィン１１１を有することが望ましい。反射モジュール１３０は、ＬＥＤチップの各々から発散した光の反射及び配光を行うように基板１２０上に搭載される。照明部１００は、反射モジュール１３０の外部面をカバーするように構成されるカバー１４０をさらに含み得る。参照符号１５０は、カバー１４０を固定するように構成されたフレームを示し、参照符号３１０は、電力供給部３００と基板１２０（及び／又はケース１１０）との間の有線接続部を示す。
【００２３】
図３及び図４を参照すると、複数のＬＥＤチップ（例えば、８４０個の１ワットＬＥＤチップ、１６８０個の０．５ワットＬＥＤチップなど）は、基板１２０上に相互にほぼ同一の間隔で離隔して整列される。ＬＥＤチップがほぼ等間隔で離隔して整列される場合、基板１２０上にＬＥＤチップを搭載する動作が容易であり得、反射モジュール１３０を搭載する動作が簡素であり得る。特に、ＬＥＤチップの実質的な等間隔整列は、ＬＥＤチップが相互に最大に離隔するようにすることにより、放熱（放出）性能に対する効果を高めることができる。
【００２４】
少なくとも１つの結合突出部１１３がケース１１０の表面から突出される。少なくとも１つの結合開口１３２が反射モジュール１３０内に作られる。少なくとも１つの接続ホール（図示せず）が基板内に結合ホール１３２に対応する位置で作られる。結合突出部１１３は、基板１２０に形成された接続ホールを貫通して反射モジュール１３０に形成された結合開口１３２に挿入される。このような状態で、例えば、反射モジュール１３０を基板１２０に結合させるために締結メカニズム（例えば、ボルト結合）が使用される。
【００２５】
それぞれの反射モジュール１３０は、好ましくは、行及び／又は列方向（例えば、１×２、２×１、１×３、２×２、３×１、１×４、２×３、３×２、４×１、１×５、２×４、３×３、４×２、５×１など）に整列される少なくとも２つの光反射半球１３１を含み得る。１つの反射モジュール１３０内に配置されている光反射半球の個数及びサイズは、所望する設計仕様及び／又は顧客ニーズにより適切に決定され得る。例えば、図４に示すような２×２反射モジュールの場合、４個のＬＥＤチップから発散した光を反射するように構成される４個の光反射半球１３１が同時に搭載され、したがって、組立動作を簡素化できる。光反射半球１３１は、１つ以上のＬＥＤチップに対応する。光反射半球１３１の深さ及び光反射半球１３１の内側面の曲率は、所望する設計仕様及び／又は顧客ニーズにより所望する配光を導出するように適切に設定され得る。また、１つの光反射半球１３１により反射され放出される光速は、所望する設計仕様及び／又は顧客ニーズにより適切に設定（例えば、約１０１ｍに）され得る。
【００２６】
図５Ａ及び図５Ｂは、従来の反射板及び本発明の一実施形態による反射モジュールをそれぞれ示す図である。図５Ａに示すように、複数のＬＥＤチップが基板上に搭載され、反射部Ｒが基板のエッジに形成される従来の反射板を使用する従来のＬＥＤ照明装置において、反射部の高さｈ１は、所望する配光を得るのに十分に高くなければならない。特に、複数のＬＥＤチップの中で基板の中心の近くに位置したＬＥＤチップの光放出面を通して発散する光の発光角度が約１２０度であるので、反射部Ｒは、反射部Ｒの高さが十分でないか又は所望する配光を形成しない場合に、基板の中心の周辺に位置したＬＥＤチップから発散した光を反射できない。他方、図５Ｂに示すように、本発明の一実施形態によると、反射モジュール１３０は、複数のＬＥＤチップに対応する（ここでは、１対１）光反射半球１３１を有し、それぞれの光反射半球１３１は、それぞれのＬＥＤチップから発散した光を反射し、所望する配光を形成する。したがって、反射モジュール１３０の高さｈ２は、反射部Ｒの高さｈ１より小さい。上述した反射モジュールの構造は、高出力ＬＥＤ照明装置の体積及び重さを減少させることができるので、製造費用を低減させることができる。
【００２７】
所定の高さを有する光反射半球１３１は、好ましくは、板状ボディー１３４と一体型で形成され、板状ボディー１３４から突出され、六面体の構造で形成される１つの光反射球と比較して反射モジュール１３０の重さが減少されるようにする。反射モジュール１３０の重さの減少は、反射モジュール１３０を基板１２０に結合させる動作を容易にでき、その他に、照明装置の縮小により照明装置の転送及び搭載を容易にできる。
【００２８】
上述したように、複数の反射モジュール１３０は、基板１２０の一面（例えば、前面）上に整列された後に、カバー１４０は、照明部１００を組み立てるためにケース１１０の前面に固定される。カバー１４０は、光損失を最小化し、異質物（例えば、ホコリなど）の流入を防止するために透明シートで作られる。
【００２９】
複数の放熱フィン１１１は、好ましくは、ケース１１０の他の面（例えば、後面）上に整列される。放熱フィン１１１の個数、形状、及び位置は、所望する設計仕様及び／又は顧客ニーズにより適切に決定され得る。例えば、放熱フィン１１１は、ケース１０の後面上に水平、対角線、垂直、又はその組み合せで形成され得る。
【００３０】
照明部１００は、支持フレーム２００に回転可能に接続される。支持フレーム２００の一端は、照明部１００にヒンジ又は非ヒンジで接続され、支持フレーム２００の他端は、電力供給部３００にヒンジ又は非ヒンジで接続される。これとは異なり、支持フレーム２００は、照明部固定フレーム２２０、電力供給部固定フレーム２３０、及び照明部固定フレーム２２０と電力供給部固定フレーム２３０との間のベースフレーム２１０を含み得る。照明部固定フレーム２２０は、ベースフレーム２１０の少なくとも一部から照明部１００の少なくとも一部まで所定の角度で延長する。電力供給部固定フレーム２３０は、ベースフレーム２１０の少なくとも一部から電力供給部３０の少なくとも一部まで所定の角度で延長する。
【００３１】
電力供給部３００は、交流を直流に変換し、その直流を照明部１００に供給するように構成される。電力供給部３００により熱が発生し得るので、電力供給部３００の少なくとも一部は、発生した熱を照明部１００に転送されることを防止するために照明部１００の少なくとも一部から適切に離隔して配置され得る。このように、照明部１００により発生した熱は、電力供給部３００に転送されることを防止し、電力供給部３００により発生した熱は、照明部１００に転送されることを防止し、したがって、熱によるＬＥＤ照明装置の損傷又はその寿命短縮を防止できる。
【００３２】
電力供給部３００及び照明部１００がすべてケース内に配置される場合、電力供給部３００は、新たなものに置き換えられるためにケースから離隔していなければならず、これは、不便なものである。他方、本発明によると、電力供給部３００がケース１１０に配置された照明部１００とは個別に配置され、及び／又は電力供給部３００が外部に独立して搭載されるので、電力供給部３００の置き換えを容易にできる。より具体的に、電力供給部３００が電力供給部固定フレーム２３０から分離され、新たな電力供給部３００がＬＥＤ照明装置上に搭載されることにより、メンテナンス動作をより容易に完了できる。
【００３３】
角度調整部４００は、少なくとも１つのヒンジを含み得る。角度調整部４００の一端は、照明部の少なくとも一部にヒンジ又は非ヒンジで接続され、他端は、電力供給部の少なくとも一部にヒンジ又は非ヒンジで接続される。照明部の角度（例えば、地面に対して）は、少なくとも１つのヒンジの動作により調整される。
【００３４】
変形された実施形態において、角度調整部４００の第１の端は、照明部１００の放熱フィン１１１の中の少なくとも１つ又はケース１１０の少なくとも一部にヒンジ又は非ヒンジで接続される。変形された実施形態において、角度調整部４００の第２の端は、電力供給部３００に提供される放熱フィンの中の少なくとも１つ又は電力供給部３００の少なくとも一部にヒンジ又は非ヒンジで接続される。
【００３５】
一部の実施形態において、角度調整部４００は、スクリュー４１０、スクリュー４１０を収容するように構成される受け部４２０、及びスクリュー４１０に隣接した位置でアイドル方式で回転し搭載されるように構成される回転制御部４３０を含む。回転制御部４３０が回転する場合に、スクリュー４１０は、受け部４２０内に収容されるか又は受け部４２０から引き抜かれることによりスクリューの露出部分を増加させるか又は減少させる。
【００３６】
角度調整部４００を用いて照明部１００の角度（地面に対して）を調整するために、照明部固定フレーム２２０のボルト２２１を緩めることにより、照明部１００がボルト２２１の結合位置のまわりに回転可能な状態となるようにできる。
【００３７】
その後に、角度調整部４３０が回転してスクリュー４１０を移動させる。照明部１００の角度は、受け部４３０の外部に露出したスクリューの長さに従って調整される。受け部４３０の外部に露出するスクリューの長さは、回転制御部４３０の回転方向及び程度に従って増加するか又は減少する。回転制御部４３０の１回転ごとに調整されるスクリュー４１０の長さを計算できる。したがって、オペレータは、照明部１００の角度を所望する角度に調整できる。
【００３８】
上述したように、照明部１００の角度を所望する角度に調整した後に、ボルト２２１は、照明部１００が照明部固定フレーム２２０に固定されるように締結し得る。照明部が照明部固定フレーム２２０にきつく固定されるようにするためにボルト２２１をきつく締められる場合、照明部１００は、角度調整部４００の所定の力により結合されるので、照明部１００の角度が所望する角度から離脱することを防止することができる。したがって、照明部１００は、所望する角度に調整され、その所望する角度で安定して確実に維持され得る。
【００３９】
１つの照明部１００は、定められた出力（例えば、約４００ワット、８００ワットなど）を有する。所望する設計仕様又は顧客ニーズに従って、複数の照明部１００が組み立てられる。例えば、図６乃至図８は、本発明の他の実施形態による高出力ＬＥＤ照明装置の斜視、後面、及び全面をそれぞれ示す図である。本実施形態による高出力ＬＥＤ照明装置は、電力供給部３００及び少なくとも１つの接続部５００により電力供給部３００の少なくとも一部に接続された第１及び第２の照明部１００を含み得る。高出力ＬＥＤ照明装置は、電力供給部３００とともに照明部１００の対の角度を調整するように電力供給部３００の一面に接続された角度調整部４００をさらに含み得る。
【００４０】
本実施形態において、第１の及び第２の照明部１００は、独立して搭載され得る。第１及び第２の照明部１００のそれぞれは、上述したように、各ケース上に提供される放熱フィンを通して熱を放出でき、ＬＥＤ照明装置が高出力照明装置に適用される場合にも発生する熱により引き起こされるＬＥＤチップの寿命の低下を防止することができる。
【００４１】
また、照明部１００の少なくとも一部及び電力供給部３００の少なくとも一部が相互に十分な間隔で離隔するので、照明部１００と電力供給部３００との間の熱転送を防止する。変形された実施形態において、照明部１００を電力供給部３００と接続させる少なくとも１つの接続部５００は、照明部１００と電力供給部３００との間の熱伝導を最小化するために実質的に低い熱伝導率を有する物質でなされる。また、角度調整部４００が少なくとも１つのヒンジ（例えば、水平ヒンジ４５０、垂直ヒンジ４６０、又はこれらの組み合せ）を含み得るために、電力供給部３００及び電力供給部３００の前面に接続された照明部１００の角度（及び高さ）を調整し得る。
【００４２】
図９乃至図１０は、本発明のもう１つの実施形態による高出力ＬＥＤ照明装置の後面図及び斜視図をそれぞれ示す。本実施形態による高電力ＬＥＤ照明装置は、少なくとも１つの接続部５００により電力供給部３００の少なくとも一部に接続される４個の照明部１００を含む。
【００４３】
電力供給部３００は、好ましくは、照明部１００の角度を調整するためにその一面に角度調整部４００を含む。角度調整部４００は、少なくとも１つのヒンジを含む。固定フレーム４７０は、ＬＥＤ照明装置を任意の設置物に強固に固定させるために角度調整部４００に接続される。したがって、照明部１００の角度は、ＬＥＤ照明装置が設置物に固定される前又は後で調整されることができる。
【００４４】
電力供給部３００は、外部から制御信号を受信するように構成される信号受信装置４８０をさらに含み、調光制御信号に基づいて照明部１００に供給される電力を調整する。したがって、外部で照明部１００の調光制御をさらに容易に実行することができる。
【００４５】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００４６】
１０  ケース
３０  電力供給部
１００  照明部
１１０  ケース
１１１  放熱フィン
１１３  結合突出部
１２０  基板
１３０  反射モジュール
１３１  光反射半球
１３２  結合開口
１３２  結合ホール
１３４  板状ボディー
１４０  カバー
【図１】
2015534241.tif 000003
【図２】
2015534241.tif 000004
【図３】
2015534241.tif 000005
【図４】
2015534241.tif 000006
【図５ａ】
2015534241.tif 000007
【図５ｂ】
2015534241.tif 000008
【図６】
2015534241.tif 000009
【図７】
2015534241.tif 000010
【図８】
2015534241.tif 000011
【図９】
2015534241.tif 000012
【図１０】
2015534241.tif 000013
【国際調査報告】
2015534241.tif 000014
2015534241.tif 000015